(57)【要約】【課題】  用紙Ｐの排紙トレイ上での積載不良を防止する。【解決手段】  インクジェット式記録装置１０では、グランドに接地された導電性部材３２が、排紙トレイ３０の積載面３０Ｂ上に突出しており、排紙口２６から排出される用紙は、導電性部材３２に接触して静電気帯電を徐電される。【選択図】  図１
2005212958.tif 000002
【特許請求の範囲】
【請求項１】
記録ヘッドに対向した印字領域へ給紙された記録媒体が、前記印字領域で印字されて前記印字領域から排紙トレイへ排出される記録装置であって、
前記印字領域より搬送方向下流側に、記録媒体の印字面の裏面に接触するように配置され、記録媒体を前記裏面から除電する第１除電手段を有することを特徴とする記録装置。
【請求項２】
前記第１除電手段が、印字を終了した記録媒体の前記裏面に接触するように配置されたことを特徴とする請求項１に記載の記録装置。
【請求項３】
前記印字領域と前記第１除電手段との間に配置され、印字中の用紙を狭持搬送する下流側ニップ部を有することを特徴とする請求項１に記載の記録装置。
【請求項４】
前記第１除電手段が、前記排紙トレイの積載面上に突出し、金属フレームに導通されグラウンドに接地された導電性部材であることを特徴とする請求項２又は３に記載の記録装置。
【請求項５】
前記導電性部材が、前記排紙トレイの積載面の印字領域側に配置されたことを特徴とする請求項４に記載の記録装置。
【請求項６】
前記導電性部材が金属部材であることを特徴とする請求項４又は５に記載の記録装置。
【請求項７】
前記導電性部材が導電性樹脂で成形された部材であることを特徴とする請求項４又は５に記載の記録装置。
【請求項８】
前記導電性部材が、非導電性材料で成形された前記排紙トレイに組み付けられたことを特徴とする請求項６又は７に記載の記録装置。
【請求項９】
前記導電性部材が、非導電性材料で前記排紙トレイを成形する際に前記排紙トレイにインサート成形されたことを特徴とする請求項６又は７に記載の記録装置。
【請求項１０】
前記導電性樹脂と非導電性樹脂とで前記排紙トレイを二色成形したことを特徴とする請求項７に記載の記録装置。
【請求項１１】
記録ヘッドに対向した印字領域へ給紙された記録媒体が、前記印字領域で印字されて前記印字領域から排紙トレイへ排出される記録装置であって、
前記印字領域より搬送方向上流側に、印字開始前の記録媒体に接触するように配置され、記録媒体を除電する第２除電手段を有することを特徴とする記録装置。
【請求項１２】
記録ヘッドに対向した印字領域へ給紙された記録媒体が、前記印字領域で印字されて前記印字領域から排紙トレイへ排出される記録装置であって、
前記印字領域より搬送方向上流側に、記録媒体に接触するように配置され、記録媒体を除電する第３除電手段と、
前記除電手段と前記印字領域との間に配置され、印字中の用紙を狭持搬送する上流側ニップ部と、
を有することを特徴とする記録装置。
【請求項１３】
記録ヘッドに対向した印字領域へ給紙された記録媒体が、前記印字領域で印字されて前記印字領域から排紙トレイへ排出される記録装置であって、
前記印字領域より搬送方向上流側で記録媒体を案内するガイド面の一部とされ、挙動を変動させることなく記録媒体に接触して記録媒体を除電する第４除電手段を有することを特徴とする記録装置。
【発明の詳細な説明】
【技術分野】
【０００１】
本発明は、記録ヘッドに対向した印字領域へ給紙された記録媒体が、印字領域で印字されて印字領域から排紙トレイへ排出される記録装置に関する。
【背景技術】
【０００２】
インクジェットプリンタやレーザービームプリンタ等の記録装置では、用紙がセットされた給紙トレイから給紙ローラ等の給紙手段によって用紙が１枚ずつ捌かれて、インクジェット記録ヘッドや感光体等に対向した印字領域へ給紙される。そして、用紙は、この印字領域を搬送されながら画像を記録されて印字領域から排出され、排紙トレイに積載される。
【０００３】
ここで、用紙には、給紙時の用紙同士の摩擦や、搬送時のローラ等の搬送部材との摩擦によって静電気帯電が生じ、この静電気帯電によって用紙の排紙トレイ上での積載不良が発生する。この積載不良は、例えば図１０に示すように、静電気が帯びた用紙Ｐの先端が、排紙トレイ１００の積載面に引きつけられ、排紙ローラ１０２の搬送力に抗して排紙トレイ１００の積載面の上流側で停まる。そして、排紙ローラ１０２によって用紙Ｐの後端が送られることによって用紙Ｐが排紙トレイ１００上で裏返ってしまったり、排紙トレイ１００から食み出したりする、というものである。
【０００４】
そのため、用紙に生じた静電気帯電を除電するための除電手段を備える記録装置が考案されている（例えば、特許文献１参照）。この特許文献１には、インクジェット記録ヘッドによる印字領域の直前に除電ブラシを配置し、給紙トレイから印字領域に至るまでに用紙に生じる静電気帯電を除電している。
【０００５】
しかし、この除電方法では、印字領域直前までに用紙に生じた静電気帯電しか除電できない。また、記録ヘッド周辺に浮遊するミスト（インクが霧状になったもの）が除電ブラシに付着することによる用紙の汚れや除電効果の低下等が発生する。さらに、印字中の用紙を除電ブラシで押圧することによって印字中の用紙の挙動が変動し、印字乱れを起すという問題があった。
【特許文献１】特開２０００−３０９１４０号公報
【発明の開示】
【発明が解決しようとする課題】
【０００６】
本発明は上記事実を考慮してなされたものであり、記録媒体に生じる静電気帯電を効果的に除電して排紙トレイ上での記録媒体の積載不良を防止すると共に、除電の際に生じる記録媒体の挙動変動や汚れを防止することを目的とする。
【課題を解決するための手段】
【０００７】
請求項１に記載の記録装置は、記録ヘッドに対向した印字領域へ給紙された記録媒体が、前記印字領域で印字されて前記印字領域から排紙トレイへ排出される記録装置であって、前記印字領域より搬送方向下流側に、記録媒体の印字面の裏面に接触するように配置され、記録媒体を前記裏面から除電する第１除電手段を有することを特徴とする。
【０００８】
請求項１に記載の記録装置では、第１除電手段が、印字領域より搬送方向下流側で、記録媒体の印字面の裏面に接触し、記録媒体を裏面から除電する。ここで、第１除電手段を搬送方向下流側に配置したことによって、印字中又は印字終了後に生じる静電気帯電まで除電することができ、排紙トレイ上での記録媒体の積載不良を防止できる。
【０００９】
また、第１除電手段を記録媒体の裏面に接触するように配置したので、インク等による速乾性が無いような印字であっても乱れることがない。
【００１０】
請求項２に記載の記録装置は、請求項１に記載の記録装置であって、前記第１除電手段が、印字を終了した記録媒体の前記裏面に接触するように配置されたことを特徴とする。
【００１１】
請求項２に記載の記録装置では、第１除電手段が、記録媒体の裏面に印字が終了してから接触する。これによって、記録媒体が印字中に除電手段から挙動を変動されることが一切ないので、第１除電手段に起因する印字乱れを防止できる。また、記録ヘッドとの距離が長くなり、ミストが第１除電手段に付着することがないので、第１除電手段による記録媒体の汚れ、第１除電手段の除電効果の低下が発生しない。
【００１２】
請求項３に記載の記録装置は、請求項１又は２に記載の記録装置であって、前記印字領域と前記第１除電手段との間に配置され、印字中の用紙を狭持搬送する下流側ニップ部を有することを特徴とする。
【００１３】
請求項３に記載の記録装置では、印字領域より搬送方向下流側に配置された第１除電手段が、記録媒体の裏面に接触するが、印字中の記録媒体は、印字領域と除電手段との間で下流側ニップ部によって狭持されているので、除電手段と記録媒体との接触によって記録媒体の挙動が変動されても、その変動は下流側ニップ部で減衰される。従って、印字乱れを抑制できる。
【００１４】
請求項４に記載の記録装置は、請求項２又は３に記載の記録装置であって、前記第１除電手段が、前記排紙トレイの積載面上に突出し、金属フレームに導通されグラウンドに接地された導電性部材であることを特徴とする。
【００１５】
請求項４に記載の記録装置では、金属フレームに導通されグラウンドに接地された導電性部材が排紙トレイの積載面上に突出しており、この導電性部材が、排紙トレイへ排出された記録媒体の下面（裏面）に接触し、除電する。
【００１６】
請求項５に記載の記録装置は、請求項４に記載の記録装置であって、前記導電性部材が、前記排紙トレイの積載面の印字領域側に配置されたことを特徴とする。
【００１７】
請求項５に記載の記録装置では、導電性部材が、排紙トレイの積載面の印字領域側に配置されているので、全てのサイズの記録媒体の下面に接触できる。
【００１８】
請求項６に記載の記録装置は、請求項４又は５に記載の記録装置であって、前記導電性部材が金属部材であることを特徴とする。
【００１９】
請求項６に記載の記録装置では、グラウンドに接地された金属部材が、記録媒体の下面に接触して記録媒体の除電を行う。このため、導電性樹脂等と比して除電の効果が高くなる。
【００２０】
請求項７に記載の記録装置は、請求項４又は５に記載の記録装置であって、前記導電性部材が導電性樹脂で成形された部材であることを特徴とする。
【００２１】
請求項７に記載の記録装置では、導電性部材が導電性樹脂で成形されているので、排紙トレイと同色とすることができ、美観性を向上できる。
【００２２】
請求項８に記載の記録装置は、請求項６又は７に記載の記録装置であって、前記導電性部材が、非導電性材料で成形された前記排紙トレイに組み付けられたことを特徴とする。
【００２３】
請求項８に記載の記録装置では、導電性部材が、非導電性材料で成形された排紙トレイに組み付けられているだけなので、排紙トレイと導電性部材の分解が容易で、排紙トレイと導電性部材を分別して廃棄することができる。
【００２４】
請求項９に記載の記録装置は、請求項６又は７に記載の記録装置であって、前記導電性部材が、非導電性材料で前記排紙トレイを成形する際に前記排紙トレイにインサート成形されたことを特徴とする。
【００２５】
請求項９に記載の記録装置では、導電性部材が、非導電性部材で排紙トレイを成形する際に、インサート成形されている。
【００２６】
請求項１０に記載の記録装置は、請求項７に記載の記録装置であって、前記導電性樹脂と非導電性樹脂とで前記排紙トレイを二色成形したことを特徴とする。
【００２７】
請求項１０に記載の記録装置では、排紙トレイを導電性樹脂と非導電性樹脂とで二色成形することで排紙トレイに排紙された記録媒体の除電を可能としており、部品点数が削減されている。
【００２８】
請求項１１に記載の記録装置は、記録ヘッドに対向した印字領域へ給紙された記録媒体が、前記印字領域で印字されて前記印字領域から排紙トレイへ排出される記録装置であって、前記印字領域より搬送方向上流側に、印字開始前の記録媒体に接触するように配置され、記録媒体を除電する第２除電手段を有することを特徴とする。
【００２９】
請求項１１に記載の記録装置では、第２除電手段が、印字領域より搬送方向上流側で記録媒体に接触して記録媒体の除電を行う。ここで、除電手段は、印字開始前の記録媒体に接触するように配置されているので、除電手段に起因する記録媒体の印字中の挙動の変動による印字乱れを防止できる。なお、給紙トレイから給紙される際に記録媒体に生じる静電気帯電が、搬送中に記録媒体に生じる静電気帯電の大部分を占めるが、この給紙トレイから給紙される際に記録媒体に生じる静電気帯電が、第２除電手段によって除電されるので、記録媒体の排紙トレイ上での積載不良を防止できる。
【００３０】
請求項１２に記載の記録装置は、記録ヘッドに対向した印字領域へ給紙された記録媒体が、前記印字領域で印字されて前記印字領域から排紙トレイへ排出される記録装置であって、前記印字領域より搬送方向上流側に、記録媒体に接触するように配置され、記録媒体を除電する第３除電手段と、前記第３除電手段と前記印字領域との間に配置され、印字中の用紙を狭持搬送する上流側ニップ部と、を有することを特徴とする。
【００３１】
請求項１２に記載の記録装置では、第３除電手段が、印字領域より搬送方向上流側で記録媒体に接触して記録媒体の除電を行う。ここで、第３除電手段と印字領域との間には、上流側ニップ部が配置されており、第３除電手段との接触によって印字中の記録媒体の挙動が変動しても、その変動は上流側ニップ部で減衰される。従って、印字乱れを抑制できる。
【００３２】
請求項１３に記載の記録装置は、記録ヘッドに対向した印字領域へ給紙された記録媒体が、前記印字領域で印字されて前記印字領域から排紙トレイへ排出される記録装置であって、前記印字領域より搬送方向上流側で記録媒体を案内するガイド面の一部とされ、挙動を変動させることなく記録媒体に接触して記録媒体を除電する第４除電手段を有することを特徴とする。
【００３３】
請求項１３に記載の記録装置では、記録媒体が印字領域より搬送方向上流側でガイド面によって案内されるが、このガイド面の一部が第４除電手段となっており、記録媒体は、この第４除電手段に接触して搬送される。この際、記録媒体は、第４除電手段から挙動を変動されることなく除電される。従って、印字乱れを発生させることなく、記録媒体を除電できる。
【発明の効果】
【００３４】
本発明は上記構成にしたので、記録媒体に生じる静電気帯電を効果的に除電して排紙トレイ上での記録媒体の積載不良を防止できると共に、除電の際に生じる記録媒体の挙動変動や汚れを防止できる。
【発明を実施するための最良の形態】
【００３５】
以下に図面を参照しながら本発明の第１の実施形態について説明する。
【００３６】
図１、図２に示すように、インクジェット式記録装置（以下、記録装置と言う）１０は、下部に給紙トレイ１２、この給紙トレイ１２にセットされた最も上の用紙Ｐの先端に接触する給紙ローラ１４を備える。この給紙ローラ１４と捌き手段（図示省略）によって給紙ローラ１４が接触した用紙Ｐのみが給紙トレイ１２から搬送方向下流側へ給紙される。
【００３７】
そして、給紙ローラ１４からの搬送力で搬送方向下流側へ送られる用紙Ｐは、縦搬送ガイド１６によって縦搬送路ＬVへ案内され、縦搬送ローラ１８から上方へ搬送される。その後、用紙Ｐは、縦搬送ガイド１６の上部に形成されたＲ路１６Ａによって約９０度方向転換されて水平搬送路ＬHへ案内される。また、Ｒ路１６Ａの上面である手差し用搬送路１６Ｂの延長線上に手差しトレイ２０が配設されており、この手差しトレイ２０にセットされた用紙Ｐは図示しない給紙手段によって手差し用搬送路１６Ｂに沿って水平搬送路ＬHへ送られる。
【００３８】
そして、用紙Ｐは、水平搬送路ＬHに配設された水平搬送ローラ２１によって水平に搬送され、この水平搬送ローラ２１より搬送方向下流側に配設された記録ヘッド２２によって印字される。そして、記録ヘッド２２に対向した印字領域Ａより搬送方向下流側にはスターホイール２４Ａとローラ２４Ｂとで構成される排紙ローラ２４が２個配設されており、この排紙ローラ２４が、印字領域Ａを通過した用紙Ｐに搬送力を付与して排紙口２６から排紙する。
【００３９】
この排紙口２６は、水平搬送路ＬHの上部を覆う上部筐体２８の立壁２８Ａの下部と排紙された用紙Ｐが積載される排紙トレイ３０の立壁３０Ａの上部との間に用紙Ｐが通過可能な隙間を空けることによって形成されている。なお、以下、用紙Ｐの搬送方向と直交する方向を幅方向と記載する。
【００４０】
ところで、用紙Ｐには、給紙ローラ１４等のローラや縦搬送ガイド１６等の搬送ガイドとの摩擦、又は給紙トレイ１２から給紙される際の用紙Ｐ同士の摩擦によって静電気帯電が生じ、この静電気帯電によって用紙Ｐの排紙トレイ上での積載不良が発生する。このため、本実施形態では、排紙トレイ３０に導電性部材３２を設け、用紙Ｐを除電する。
【００４１】
図３に示すように、排紙トレイ３０は、側面視でＬ字状をしており、略鉛直な立壁３０Ａと立壁３０Ａの最下部から若干斜め上がりに延出した積載面３０Ｂとで構成されている。また、立壁３０Ａの下部には導電性部材３２の一部が埋め込まれ、その他の部分である突出部３２Ａが積載面３０Ｂ上に突出している。この突出部３２Ａは、コ字状で、略直角に屈曲された両端部を立壁３０Ａの幅方向両端部に埋没させている。
【００４２】
そして、図４に示すように、突出部３２Ａの両端部は、立壁３０Ａの裏面側へ突き出して更に上方に略直角に屈曲されている。この上方に屈曲された屈曲部３２Ｂは、立壁３０Ａの裏面から盛り上がったコ字状の補強部３０Ｃによって立壁３０Ａから外れないようになっている。
【００４３】
また、金属製の板バネ３４が、記録ヘッド２２や各ローラ等を支持する金属製のフレーム３６に、金属製の支持板３８を介して取付けられ、弾性力で屈曲部３２Ｂに当接するように配置されている。即ち、導電性部材３２は、板バネ３４、支持板３８、フレーム３６を介してグラウンドに接地されている。また、導電性部材３２の突出部３２Ａは、排紙トレイ３０へ排紙された用紙Ｐの印字面の裏面（下面）に必ず接触するように配置されている。これによって、排紙トレイ３０へ排紙された用紙Ｐは、導電性部材３２に接触して静電気帯電を除電される。
【００４４】
以上説明したように、グランドに接地された導電性部材３２を、印字領域Ａより搬送方向下流側に位置する排紙トレイ３０の積載面３０Ｂ上に突出させ、用紙Ｐの下面に接触するようにした。即ち、導電性部材３２を、印字直後でまだ乾ききっていない用紙Ｐの印字面に接触させずに用紙Ｐの除電を行うので、印字された画像が乱れることがない。また、給紙トレイ１２から排紙トレイ３０までに用紙Ｐに生じた静電気帯電を除電できるので、確実に用紙Ｐの排紙トレイ３０上での積載不良を防止できる。
【００４５】
さらに、導電性部材３２を、記録ヘッド２２による印字が終了してから初めて用紙Ｐに接触するように配置したので、印字中の用紙Ｐが、導電性部材３２から挙動を変動されるというがない。なお、用紙Ｐが長尺で、用紙Ｐが導電性部材３２に接触した時に用紙Ｐの後端が印字中であったとしても、用紙Ｐは、導電性部材３２と印字領域Ａとの間に配設された排紙ローラ２４によってニップされているので、用紙Ｐに生じた挙動の変動は、排紙ローラ２４のニップ部で減衰される。従って、印字乱れは発生しない。
【００４６】
また、導電性部材３２を排紙トレイ３０の印字領域Ａ側（搬送方向上流側）に配置したので、全てのサイズの用紙Ｐを導電性部材３２に接触させることができる。
【００４７】
なお、導電性部材３２は、金属部材でも導電性樹脂でも構わないが、導電性樹脂の場合は、排紙トレイ３０と同色とすることも可能なので、美観性が向上する。また、本実施形態では、導電性部材３２をインサート成形（又はアウトサート成形）によって、非導電性樹脂で排紙トレイ３０を成形する際に埋め込んだ。しかし、これに限らず、図５に示すように、Ｕ字状の弾性変形可能な嵌め込み部３１を排紙トレイ３０の裏側に形成し、この嵌め込み部３１に導電性部材３２の屈曲部３２Ｂを圧入し、又はこの屈曲部３２Ｂを排紙トレイ３０の裏側にネジ止めされた押え板で押え込む等して、導電性部材３２を排紙トレイ３０に組付けるようにしても良い。この場合、導電性部材３２と排紙トレイ３０との分解が容易なので、導電性部材３２と排紙トレイ３０を分別して廃棄することが可能となる。
【００４８】
また、本実施形態では、導電性部材３２を排紙トレイ３０と別部品としたが、図６、図７に示すように、非導電性樹脂と導電性樹脂を２色成形して排紙トレイ３０´を成形し、立壁３０Ａ´と積載面３０Ｂ´との隅部に導電性樹脂部３２´を形成し、この導電性樹脂部３２´の裏側（図７に斜線で図示）に板バネ３４を接触させるようにしても良い。この場合、部品点数を削減できる。
【００４９】
次に、第２の実施形態について説明する。なお、第１の実施形態と同様の構成については同一の符号を付し、説明は省略する。
【００５０】
図８に示すように、インクジェット式記録装置５０は、導電性部材５２が印字領域Ａより搬送方向上流側に配置されている。この導電性部材５２は、縦搬送ガイド１６のガイド面１６Ｂに取り付けられた金属製の薄板で、図示しない金属製の部材を介してグラウンドに接地されている。
【００５１】
ここで、導電性部材５２から記録ヘッド２２の搬送方向上流端部に配置されたノズル（図示省略）までの搬送距離は、用紙Ｐの搬送方向長さより長くなっている。即ち、導電性部材５２は、印字開始前の用紙Ｐの印字される側の面に接触する。このため、用紙Ｐが導電性部材５２に接触して挙動が変わったとしても、まだ印字が行われていないので、印字乱れが発生することがない。
【００５２】
なお、用紙Ｐが長尺で、用紙Ｐが導電性部材５２に接触した時に用紙Ｐの先端が印字中であったとしても、用紙Ｐは、導電性部材５２と印字領域Ａとの間に配設された縦搬送ローラ１８及び水平搬送ローラ２１によってニップされているので、用紙Ｐに生じた挙動の変動は、縦搬送ローラ１８及び水平搬送ローラ２１のニップ部で減衰される。従って、印字乱れは発生しない。
【００５３】
ところで、用紙Ｐを給紙トレイ１２から給紙する際に用紙Ｐに生じる静電気帯電が、搬送中に用紙Ｐに生じる静電気帯電の大部分を占めるが、この給紙トレイ１２から給紙する際に用紙Ｐに生じる静電気帯電が、導電性部材５２によって除電される。即ち、排紙トレイ３０に排紙された用紙Ｐに帯びている静電気量は微量なので、用紙Ｐの排紙トレイ３０上での積載不良は発生しない。
【００５４】
次に、第３の実施形態について説明する。なお、第１、２の実施形態と同様の構成には同一の符号を付し、説明は省略する。
【００５５】
図９に示すように、インクジェット式記録装置６０は、第２実施形態と同様、導電性部材６２が印字領域Ａより搬送方向上流側に配置されている。この導電性部材６２は、図示しない金属製の部材によってグラウンドに接地されたＶ字状の金属部材で、縦搬送ガイド１６のＲ路１６Ａと手差し用搬送路１６Ｂとの合流点である鋭角に尖った鋭利部１６Ｃに嵌め込まれている。
【００５６】
この導電性部材６２は、Ｒ路１６Ａと手差し搬送路１６Ｂの一部を構成し、Ｒ路１６Ａと手差し搬送路１６Ｂと面一となっており、導電性部材６２に接触する用紙Ｐの挙動を変動させることはない。従って、給紙トレイ１２、手差しトレイ２０から用紙Ｐを給紙する際に用紙Ｐに生じる静電気帯電を除電できると共に、導電性部材６２が印字中の用紙Ｐに接触することに起因する印字乱れを防止できる。
【図面の簡単な説明】
【００５７】
【図１】第１実施形態のインクジェット式記録装置を示す斜視図である。
【図２】第１実施形態のインクジェット式記録装置の概略を示す側面図である。
【図３】第１実施形態のインクジェット式記録装置の排紙トレイを示す斜視図である。
【図４】第１実施形態のインクジェット式記録装置の排紙トレイを示す斜視図である。
【図５】第１実施形態のインクジェット式記録装置の排紙トレイの変形例を示す斜視図である。
【図６】第１実施形態のインクジェット式記録装置の排紙トレイの変形例を示す斜視図である。
【図７】第１実施形態のインクジェット式記録装置の排紙トレイの変形例を示す斜視図である。
【図８】第２実施形態のインクジェット式記録装置の概略を示す側面図である。
【図９】第３実施形態のインクジェット式記録装置の概略を示す側面図である。
【図１０】従来のインクジェット式記録装置の概略を示す側面図である。
【符号の説明】
【００５８】
１０    インクジェット式記録装置（記録装置）
１２    ノズル
１６Ａ  Ｒ路（ガイド面）
１６Ｂ  手差し用搬送路（ガイド面）
１８    縦搬送ローラ（上流側ニップ部）
２１    水平搬送ローラ（上流側ニップ部）
２２    記録ヘッド
２４    排紙ローラ（下流側ニップ部）
３０    排紙トレイ
３０´  排紙トレイ
３０Ｂ  積載面
３０Ｂ´積載面
３２    導電性部材（第１除電手段）
５０    インクジェット式記録装置（記録装置）
５２    導電性部材（第２除電手段）
６０    インクジェット式記録装置（記録装置）
６２    導電性部材（第３除電手段、第４徐電手段）
Ｐ      用紙（記録媒体）
Ａ      印字領域
【図１】
2005212958.tif 000003
【図２】
2005212958.tif 000004
【図３】
2005212958.tif 000005
【図４】
2005212958.tif 000006
【図５】
2005212958.tif 000007
【図６】
2005212958.tif 000008
【図７】
2005212958.tif 000009
【図８】
2005212958.tif 000010
【図９】
2005212958.tif 000011
【図１０】
2005212958.tif 000012